【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
モータ装着板（２２）と基板（２４）とを有する縦型ポンプのための吐出ヘッド（１０）であって、
前記モータ装着板（２２）と前記基板（２４）と連結または接続するように構成された３つ以上のモータ支持体（１２ａ、１２ｂ、１２ｃ）と、
軸受けハウジング（１４）及び３つ以上のモータ支持体（１２ａ、１２ｂ、１２ｃ）と連結または接続するように構成された３つ以上のリブ支持体（１５ａ、１５ｂ、１５ｃ）と、
吐出エルボフランジ（１８）を有する吐出エルボ（１６）であって、前記吐出エルボ（１６）は前記基板（２４）に連結または付着され、前記吐出エルボフランジ（１８）は、吐出ヘッド（１０）の中心線（ＣＬ）に垂直な方向の配管力を吐出エルボ（１６）に供するように配管に連結するように構成され、そして、
可撓性材料で製造され、前記軸受けハウジング(１４)と前記吐出エルボ（１６）との間に配置され、圧力を封じ込め、かつ前記配管力に応答して前記吐出ヘッド（１０）の前記中心線（ＣＬ）に垂直な前記方向に可撓性であるように構成された可撓性要素（２０）と、を備える、吐出ヘッド。
【請求項２】
前記可撓性要素（２０）は、蛇腹様の可撓性構造体（２０ａ）及びフランジ様要素（２０ｂ、２０ｃ）で構成される、請求項１に記載の吐出ヘッド。
【請求項３】
前記可撓性要素（２０）は、前記軸受けハウジング（１４）及び前記吐出エルボ（１６）にそれぞれ前記フランジ様要素（２０ｂ、２０ｃ）を固定するように構成された連結要素（２１ａ，２１ｂ）を備える、請求項２に記載の吐出ヘッド。
【請求項４】
前記フランジ様要素（２０ｂ、２０ｃ）は第１フランジ様要素（２０ｂ）を含み、前記連結要素（２１ａ、２１ｂ）は第１連結要素（２１ａ）を含み、そして、前記第１フランジ様要素（２０ｂ）は前記第１連結要素（２１ａ）と前記軸受けハウジング（１４）との間に配置され、
前記フランジ様要素（２０ｂ、２０ｃ）は第２フランジ様要素（２０ｃ）を含み、前記連結要素（２１ａ、２１ｂ）は第２連結要素（２１ｂ）を含み、そして、前記第２フランジ様要素（２０ｃ）は前記第２連結要素（２１ｂ）と前記吐出エルボ（１６）との間に配置される、請求項３に記載の吐出ヘッド。
【請求項５】
前記第１フランジ様要素（２０ｂ）は、ナットとボルトの組合体（２３）を使用して、前記第１連結要素（２１ａ）と前記軸受けハウジング（１４）との間に固定され、
前記第２フランジ様要素（２０ｃ）は、ナットとボルトの組合体（２３）を使用して、前記第２連結要素（２１ｂ）と前記吐出エルボ（１６）との間に固定される、請求項４に記載の吐出ヘッド。
【請求項６】
前記可撓性要素（２０）はゴムである、請求項１に記載の吐出ヘッド。
【請求項７】
前記配管力は、前記配管と前記吐出エルボフランジ（１８）との間の接続部での膨張管継手によって適用され、そして提供される高配管力を含む、請求項１に記載の吐出ヘッド。
【請求項８】
前記高配管力は、加圧時に中心線軸（ＣＬ）に沿って拡張配管要素の弾性膨張の結果である、請求項７に記載の吐出ヘッド。
【請求項９】
前記吐出エルボ（１６）及び前記吐出エルボフランジ（１８）は、高配管力に直接応答するように構成された高偏向構成要素の一部分を形成する、請求項７に記載の吐出ヘッド。
【請求項１０】
前記３つ以上のモータ支持体（１２ａ、１２ｂ、１２ｃ）及び前記軸受けハウジング（１４）は低偏向構成要素の一部分で形成され、そして、
前記可撓性要素（２０）は、高偏向構成要素の偏向が低偏向構成要素に直接伝達されないように、前記低偏向構成要素と前記高偏向構成要素との間に配置されるかまたは挿入されるように構成される、請求項９に記載の吐出ヘッド。
【請求項１１】
縦型ポンプであって、
駆動軸（１３１）を回転させるように構成された縦型中実軸モータ（１３２）を有する第１のポンプ配置と、
前記駆動軸（１３１）を中心として配置されたカラム（１２７，１２９）を有し、前記駆動軸（１３１）に連結された回転羽根車を有するボウル組立体(１２６)を有する第２のポンプ組合体と、
前記第１のポンプ配置の前記縦型中実軸モータ（１３２）に連結するように構成されたモータ装着板（２２）を有し、前記第２のポンプ組合体の前記カラム（１２７、１２９）に連結するように構成された基板（２４）を有する吐出ヘッド（１０）であって、前記吐出ヘッド（１０）は、
前記モータ装着板（２２）及び前記基板（２４）と連結または接続するように構成された３つ以上のモータ支持体（１２ａ、１２ｂ、１２ｃ）と、
軸受けハウジング（１４）及び前記３つ以上のモータ支持体（１２ａ、１２ｂ、１２ｃ）と連結または接続するように構成された３つ以上のリブ支持体（１５ａ、１５ｂ、１５ｃ）と、
吐出エルボフランジ（１８）を有する吐出エルボ（１６）であって、前記吐出エルボ（１６）は前記基板（２４）に連結され、前記吐出エルボフランジ（１８）は、前記吐出ヘッド（１０）の中心線（ＣＬ）に垂直な方向の配管力を吐出エルボ（１６）に供するように配管に連結するように構成され、そして、
可撓性材料で製造され、前記軸受けハウジング（１４）と前記吐出エルボ（１６）との間に配置され、圧力を封じ込め、かつ前記配管力に応答して前記吐出ヘッド（１０）の前記中心線（ＣＬ）に垂直な前記方向に可撓性であるように構成された可撓性要素（２０）と、を備える、
を備える、縦型ポンプ。
【請求項１２】
前記可撓性要素（２０）は、蛇腹様の可撓性構造体（２０ａ）とフランジ様要素（２０ｂ、２０ｃ）で構成される、請求項１１に記載の縦型ポンプ。
【請求項１３】
前記可撓性要素（２０）は、前記軸受けハウジング（１４）及び前記吐出エルボ（１６）にそれぞれ前記フランジ様要素（２０ｂ、２０ｃ）を固定するように構成された連結要素（２１ａ，２１ｂ）を備える、請求項１２に記載の縦型ポンプ。
【請求項１４】
前記フランジ様要素（２０ｂ、２０ｃ）は第１フランジ様要素（２０ｂ）を含み、前記連結要素（２１ａ，２１ｂ）は第１連結要素（２１ａ）を含み、そして、前記第１フランジ様要素（２０ｂ）は前記第１連結要素（２１ａ）と前記軸受けハウジング（１４）との間に配置され、
前記フランジ様要素（２０ｂ、２０ｃ）は第２フランジ様要素（２０ｃ）を含み、前記連結要素（２１ａ，２１ｂ）は第２連結要素（２１ｂ）を含み、そして、前記第２フランジ様要素（２０ｃ）は前記第２連結要素（２１ｂ）と前記吐出エルボ（１６）との間に配置される、請求項１３に記載の縦型ポンプ。
【請求項１５】
前記第１フランジ様要素（２０ｂ）は、ナットとボルトの組合体（２３）を使用して、前記第１連結要素（２１ａ）と前記軸受けハウジング（１４）との間に固定され、
前記第２フランジ様要素（２０ｃ）は、ナットとボルトの組合体（２３）を使用して、前記第２連結要素（２１ｂ）と前記吐出エルボ（１６）との間に固定される、請求項１４に記載の縦型ポンプ。
【請求項１６】
前記可撓性要素（２０）はゴムである、請求項１１に記載の縦型ポンプ。
【請求項１７】
前記配管力は、前記配管と前記吐出エルボフランジ（１８）との間の接続部での膨張管継手によって適用され、そして提供される高配管力を含む、請求項１１に記載の縦型ポンプ。
【請求項１８】
前記高配管力は、加圧時に中心線軸（ＣＬ）に沿って拡張配管要素の弾性膨張の結果である、請求項１７に記載の縦型ポンプ。
【請求項１９】
前記吐出エルボ（１６）及び前記吐出エルボフランジ（１８）は、高配管力に直接応答するように構成された高偏向構成要素の一部分を形成する、請求項１７に記載の縦型ポンプ。
【請求項２０】
前記３つ以上のモータ支持体（１２ａ、１２ｂ、１２ｃ）及び前記軸受けハウジング（１４）は低偏向構成要素の一部分で形成され、そして、
前記可撓性要素（２０）は、高偏向構成要素の偏向が低偏向構成要素に直接伝達されないように、前記低偏向構成要素と前記高偏向構成要素との間に配置されるかまたは挿入されるように構成される、請求項１７に記載の縦型ポンプ。